(57)【要約】      （修正有）【課題】カップ部が、バストの動きに独自に追従することで、カップ部の横ずれやずれ上がりを防ぐことができるハーフトップを提供する。【解決手段】伸縮性生地からなる表身頃と、該表身頃の裏側に設けた裏身頃２と、一対の肩紐６により構成されるハーフトップであって、前記表身頃は、乳房部を被覆するバスト部と、該バスト部の下辺に縫着され胸部から脇下にかけて被覆する土台部４と、該土台部の端部において縫着され脇下から背中にかけて被覆する後身頃２からなり、前記裏身頃は、乳房部を保持するためのカップ部９と、該カップ部の下辺に縫着され脇下に延設する伸縮性を有するネット地１０ａ，１０ｂからなり、該裏身頃が、前記カップ部の上辺の一部と前記脇下に延設するネット地１０ａ，１０ｂにおいて、前記肩紐と前記土台部の端部にそれぞれ接合されるとともに、その他の首ぐりや袖ぐり、胴口部分において表身頃と接合されずに遊離している。【選択図】図２
0003187742.tif 000002
【実用新案登録請求の範囲】
【請求項１】
伸縮性生地からなる表身頃と、該表身頃の裏側に設けた裏身頃と、一対の肩紐により構成されるハーフトップであって、前記表身頃は、乳房部を被覆するバスト部と、該バスト部の下辺に縫着され胸部から脇下にかけて被覆する土台部と、該土台部の端部において縫着され脇下から背中にかけて被覆する後身頃からなり、前記裏身頃は、乳房部を保持するためのカップ部と、該カップ部の下辺に縫着され脇下に延設する伸縮性を有するネット地からなり、該裏身頃が、前記カップ部の上辺の一部と前記脇下に延設するネット地において、前記肩紐と前記土台部の端部にそれぞれ接合されるとともに、その他の首ぐりや袖ぐり、胴口部分において表身頃と接合されずに遊離していることを特徴とするハーフトップ。
【請求項２】
前記肩紐は、伸縮性を有するテープが両縁に設けられ、その間に伸縮性を有するネット地が設けられていることを特徴とする請求項１に記載のハーフトップ。
【請求項３】
前記裏身頃が、前記カップ部の頂部と、前記ネット地の端部において前記肩紐と前記土台部の端部にそれぞれ接合されていることを特徴とする請求項１または２に記載のハーフトップ。
【請求項４】
前記裏身頃が、前記カップ部の頂部と前記ネット地の端部に加え、カップ部の上辺であって、前記肩紐の内側に設けられたテープと前記バスト部の上辺の接合部分に相当する位置において、カップ部の上辺の一部を縫着することを特徴とする請求項１または２に記載のハーフトップ。
【請求項５】
前記カップ部は、その脇辺に伸縮性を有するテープが該脇辺より更に上下に延伸するように設けられ、上へ延伸した部分が前記肩紐のテープの一部に接合し、また、下に延伸した部分が前記土台部と前記後身頃の縫着部の一部に接合されていることを特徴とする請求項１ないし４のいずれか１項に記載のハーフトップ。
【請求項６】
前記ネット地の下端および前記カップ部の下辺の一部と、前記土台部と前記後身頃の縫着部で肌に接する側にはテープ状の滑り止め部材をそれぞれ設けることにより、前記裏身頃の胴口と脇下に該滑り止め部材を略直角に配置したことを特徴とする請求項１ないし５のいずれか１項に記載のハーフトップ。
【考案の詳細な説明】
【技術分野】
【０００１】
本考案は、女性用の下着であるハーフトップに関する。
【背景技術】
【０００２】
従来より女性用の下着であるブラジャーにおいては、運動等の激しい身体の動きに伴い、カップのずれ上がりや横ずれすることが課題とされており、かかる対策として様々なものが提供されている。例えば、特許文献１には、カップの下半縁を胴密着帯に対して遊離開口自在とすると共に、カップと胴密着帯とに伸縮性を有する弾性ネット地を架設縫着したブラジャーが開示されている。
【０００３】
この特許文献１に開示されたブラジャーによると、カップと胴密着帯との間に伸縮性を有する弾性ネット地を架設したことにより、運動時においても、かかる弾性ネット地が伸縮し、カップは自由に動くことができるとともに、胴密着帯は身体への密着状態を確実に保持することにより、ブラジャーのずり上がり防止がなされている。
【０００４】
しかしながら、特許文献１のものは、カップの下半縁が胴密着帯に対し完全に独立しているわけではなく、弾性ネット地を介して胴密着帯に連設されているため、いかに弾性ネット地が伸縮性を有していても、胴密着帯の動きに影響を受けるおそれがある。さらに、カップは胴密着帯に対し上端縁で縫着されているが、胸の谷間側でも縫着されているため、胴密着帯の上下方向の動きに追従し、ずり上がるおそれがある。
【０００５】
さらに、特許文献１のものは、肩紐から延長する弾性テープをバストの上内縁に縫着しているため、肩紐の動きに追従してカップがずれるおそれもあった。  
【先行技術文献】
【特許文献】
【０００６】
【特許文献１】実公昭４８−３３５３３
【考案の概要】
【考案が解決しようとする課題】
【０００７】
本考案は、従来のかかる欠点を克服し、カップ部が表身頃やストラップの動きには追従せず、バストの動きに独自に追従することにより、カップ部の横ずれやずれ上がりを防ぐことができるハーフトップを提供することをその課題とするものである。
【課題を解決するための手段】
【０００８】
本考案は、上記課題を解決するものであり、伸縮性生地からなる表身頃と、該表身頃の裏側に設けた裏身頃と、一対の肩紐により構成されるハーフトップであって、前記表身頃は、乳房部を被覆するバスト部と、該バスト部の下辺に縫着され胸部から脇下にかけて被覆する土台部と、該土台部の端部において縫着され脇下から背中にかけて被覆する後身頃からなり、前記裏身頃は、乳房部を保持するためのカップ部と、該カップ部の下辺に縫着され脇下に延設する伸縮性を有するネット地からなり、該裏身頃が、前記カップ部の上辺の一部と前記脇下に延設するネット地において、前記肩紐と前記土台部の端部にそれぞれ接合されるとともに、その他の首ぐりや袖ぐり、胴口部分において表身頃と接合されずに遊離していることを特徴とするハーフトップである。
【考案の効果】
【０００９】
本考案のハーフトップは、着用時に胸部において表身頃と後身頃の二層に形成され、うち該裏身頃が、カップ部の上辺の一部と脇下に延設する前記ネット地において肩紐と表身頃の土台部の端部と接合されるとともに、その他の首ぐりや袖ぐり、胴口部分において表身頃と接合されずに、遊離し開口しているため、身体の動きに伴う肩紐や表身頃の動きに対し、前記カップ部の運動追従を最低限に抑えることができ、バストを安定的に保持することができる。
【図面の簡単な説明】
【００１０】
【図１】本考案に係るハーフトップの正面図。
【図２】本考案に係るハーフトップの表身頃の裏側（裏身頃）を表した図。
【考案を実施するための形態】
【００１１】
以下、本考案のハーフトップの一実施態様について、図面に基づいて具体的に説明する。なお、本考案はこれら実施態様に何ら制約されるものではない。
【００１２】
図１は本考案に係るハーフトップの正面図、図２は本考案に係るハーフトップの表身頃の裏側（裏身頃）の図である。図に示すように、本考案にかかるハーフトップは、表身頃１とその裏側、すなわち肌に接する側に設けられた裏身頃２により少なくとも胸部が二層に形成されている。それらのうち表身頃１は、乳房部を被覆するバスト部３と、該バスト部３の下辺に縫着され胸部から脇下にかけて被覆する土台部４と、土台部４両端の縫着部４１において縫着され脇下から背中にかけて被覆する後身頃５により筒状に編成されている。これらの表身頃１を構成する部位はいずれも伸縮性を有する生地により形成されており、材質の一例としては、弾性繊維を含むラッセル編物、トリコット編物、ストレッチレース、パワーネット、サテンネット、ベア天竺等の伸縮性を有する生地を挙げることができる。また、表身頃１の下端には、マイクロテープ、コメットゴム、織ゴム等の弾性部材からなるアンダーベルト部７が設けられている。
【００１３】
バスト部３の頂部からは一対の肩紐６が後身頃５へと連設されている。肩紐６は、伸縮性を有するテープ６１とテープ６２が両縁に設けられ、その間に伸縮性を有するネット地６３が設けられている。そして、内側に設けられたテープ６２はその下端部がバスト部３の上辺３２に縫着され、外側に設けられたテープ６１は、肩紐６から延長して、バスト部３の脇辺３１、さらに、土台部４と後身頃５の上辺へと連続して縫着されている。図に示すように、肩紐６は、バスト部３の頂部から後身頃５の中央部分にかけて設けられており、このように、肩紐６の接合部を後身頃５の中央部に設けるとともに、両縁に設けられたテープ６１とテープ６２とその間に設けられたネット地６３により幅出しすることで、肩からのずれ落ちを効果的に防止することができ、好ましい。なお、肩紐６のネット地６３には、ナイロンなどにポリウレタン弾性繊維を交編して形成されるパワーネットを好適に使用することができる。
【００１４】
図２に示すように、表身頃１の裏側であって、バスト部３と土台部４の裏側にあたる部分に設けられた裏身頃２は、乳房部を保持するためのカップ部９と、該カップ部９の下辺９３に縫着された伸縮性を有するネット地１０ａ、１０ｂからなる。これらのうち、カップ部９は好ましくは不織布により形成されており、その脇辺９１には伸縮性を有するテープ９４が縫着されている。テープ９４は、カップ部９の脇辺９１から更に上下へと延伸しており、上へ延伸した部分が肩紐６のテープ６１と接合し、また、下に延伸した部分が縫着部４１に接合されている。そして、カップ部９の下辺９３の左右と中央部分に縫着されたネット地１０ａ、１０ｂのうち、左右のネット地１０ａは脇下へと延伸し、その端部が土台部４と後身頃５との縫着部４１に縫着されている。
【００１５】
すなわち、本実施態様のハーフトップは、カップ部９とネット地１０ａ、１０ｂからなる裏身頃２が、カップ部９の頂部にあたる上辺９２の１点と、脇下に延伸するネット地１０ａの端部においてのみ、表身頃１の一部と接合されている。そして、表身頃１の首ぐりや袖ぐりにおいては、上記の接合ポイントを除いて基本的に遊離した状態となっており、さらに、胴口（本明細書では、表身頃１の下端、アンダーベルト部７を意味する）においても接合されず遊離しており、表身頃１と裏身頃２との間で開口を形成する。
【００１６】
以上のとおり、本実施態様のハーフトップは、カップ部９の上辺９２の１点と、ネット地１０ａの端部の計２箇所においてのみ裏身頃２が表身頃１と接合されるが、さらにもう１箇所、カップ部９の上辺９２の１点において追加的に接合してもよい。すなわち、カップ部９の上辺９２であって、肩紐６のテープ６２とバスト部３の上辺３２の接合部分に相当する位置において、カップ部９の上辺９２とバスト部３の一部を縫着することにより、裏身頃２と表身頃１との接合部分を計３箇所としてもよい。
【００１７】
以上のとおり、本考案に係るハーフトップは、伸縮性生地からなる表身頃１と、該表身頃１の裏側に設けたカップ部９およびネット地１０からなる裏身頃２とを備え、該裏身頃２が、カップ部９の上辺９２の１点ないし２点と脇下（ネット地１０ａの端部）において表身頃１の一部と接合されるとともに、その他の首ぐりや袖ぐり、胴口部分において表身頃１と接合されず遊離し開口しているため、カップ部９の表身頃１に対する自由度が高く、バストの動きに独自に追従することができる。それに加え、カップ部９を表身頃１と接合するテープ９４およびネット地１０ａはいずれも伸縮性を有するため、肩紐６や表身頃１の動きに対し、カップ部９の運動追従を最低限に抑えることができ、乳房部を安定的に保持することができる。また、ネット地１０ａ、１０ｂにより横方向への緊迫力が生じるため、カップ部９の横方向へのずれを防止することができる。
【００１８】
また、ネット地１０ａ、１０ｂの下端およびカップ部９の下辺９３の一部にはテープ状の滑り止め部材１１ａを、さらに、土台部４と後身頃５との縫着部４１で着用時に肌に接する側にはテープ状の滑り止め部材１１ｂをそれぞれ設けても良い。かかる滑り止め部材１１の材料として、樹脂製テープなどを好適に使用することができる。このように、裏身頃２の胴口と脇部に滑り止め部材を略直角に配置することにより、カップ部９の横ずれおよびずり上がりを効果的に防止することができ、好ましい。
【符号の説明】
【００１９】
１……表身頃
２……裏身頃
３……バスト部
４……土台部
５……後身頃
６……肩紐
７……アンダーベルト部
８……ネット地
９……カップ部
１０ａ……ネット地
１０ｂ……ネット地
１１ａ……滑り止め部材
１１ｂ……滑り止め部材
３１……脇辺
３２……上辺
４１……縫着部
６１……テープ
６２……テープ
６３……ネット地
９１……脇辺
９２……上辺
９３……下辺
９４……テープ
【図１】
0003187742.tif 000003
【図２】
0003187742.tif 000004